(57)【要約】【課題】磁気ストライプに記憶された情報を読取るために帳票を幅寄せするための幅寄機構を利用して帳票の振分けを行うことができると共に低コストで製造可能で設置面積の小さい帳票処理装置を提供する。【解決手段】所定の情報が記憶された磁気ストライプ付きの帳票に所定の処理を施した後、磁気ヘッドを用いて磁気ストライプから情報を読取る情報読取手段が近傍に配置された給排紙口から排紙するときに、所定の処理の結果に応じて、磁気ヘッドの位置に磁気ストライプを調整するために帳票の搬送方向と略並行となるように設けられた第１のガイド４１とこの第１のガイドと対向して設けられた帳票の搬送方向と略並行となるように設けられた第２のガイド４２との間に設けられた例えば正逆回転可能な幅寄ローラ１１により帳票を搬送方向と略直交方向に移動させ第１のガイド又は第２のガイドへ幅寄せを行い、このいずれかのガイドに幅寄された帳票を収容するものである。【選択図】  図６
2005041591.tif 000002
【特許請求の範囲】
【請求項１】
所定の情報が記憶された磁気ストライプ付きの帳票を給紙又は排紙するための複数の給排紙口と、この複数の給排紙口のいずれかの給排紙口から給紙された帳票を所定の処理を行うために所定位置へ搬送し、その処理後の帳票を前記複数の給排紙口のいずれかの給排紙口から排紙するための搬送手段と、帳票の磁気ストライプに記憶された情報を所定位置に配置された磁気ヘッドを用いて読取る情報読取手段と、前記搬送手段で搬送された帳票の磁気ストライプの位置を前記所定位置に配置された磁気ヘッドの位置に調整するために前記搬送手段の側方に前記帳票の搬送方向と略並行となるように設けられた第１のガイドと、前記搬送手段の側方に前記帳票の搬送方向と略並行となるように前記ガイドと対向して設けられた第２のガイドと、前記第１のガイドと前記第２のガイドとの間に設けられ前記帳票の搬送方向と略直交方向に帳票を移動させ前記第１のガイド又は前記第２のガイドへ幅寄せを行う帳票幅寄手段と、前記帳票に所定の処理を施して前記搬送手段で前記情報読取手段が近傍に配置された給排紙口から帳票を排紙するときに、前記所定の処理の結果に応じて前記帳票幅寄手段を制御して前記帳票をいずれかの方向に移動させる移動制御手段と、この移動制御手段で移動され排紙された帳票を収容する帳票収容手段とを具備したことを特徴とする帳票処理装置。
【発明の詳細な説明】
【０００１】
【発明の属する技術分野】
本発明は、磁気ストライプ付きの帳票に所定の処理を行う帳票処理装置に関する。
【０００２】
【従来の技術】
金融機関等の窓口に設置され、通帳や伝票などの磁気ストライプ付きの帳票を複数の給排紙口から給紙して所定の処理を行う帳票処理装置、例えば、２インサータタイプの通帳伝票プリンタが知られている。この通帳伝票プリンタでは、給紙された帳票の磁気ストライプの読取りは、幅寄機構により帳票をガイドに幅寄せし、磁気ヘッドの位置と磁気ストライプの位置を調整した後行われる。また、このような通帳伝票プリンタで通帳と伝票の処理を連続的に行うときには、印字を行うときに退避路／印字部インサータ切換弁を切換えて伝票インサータにより伝票を伝票退避路に搬送し、通帳／伝票インサータ切換弁を切換えて伝票インサータ・印字搬送部により通帳を印字部に搬送することでイメージ読取り部による伝票の内容の読取りを印字機構による通帳への印字とを並行して行っている。このように連続的に処理された後に排紙される帳票は、例えば、伝票及び通帳それぞれが給紙された給排紙口から排紙される（例えば特許文献１参照）。
【０００３】
【特許文献１】
平成８−３１００７０号公報
【０００４】
【発明が解決しようとする課題】
しかしながら、窓口で行われる業務の中には、通帳と伝票を連続的に処理するだけでなく１つの種類のものを大量に処理する業務もある。このような処理の場合には、処理が行われた帳票は振分け処理が行われることなくスタッカに１枚ずつ積載されていくだけである。従って、例えば、エラーが検出された帳票と、正常に処理された帳票とがあってもオペレータは排紙された帳票を１枚ずつ確認してエラーがあった帳票と正常であった帳票とを振分けねばならない。オペレータが帳票を１枚ずつ給紙するのであれば、２つの給排紙口のいずれかから排紙するかを設定することにより処理結果に応じて振分けを行うことができるが、連続的に帳票の処理を行う場合には対応することができない。
【０００５】
また、処理した帳票を振分けるために排紙する用紙を振分けるための専用の機構を例えば複写機のように設けることも考えられる。しかし、この専用の機構を設置すると帳票処理装置が大型化してしまい、また、その機構に対するコストが発生してしまう。
【０００６】
本発明は上記事情に鑑みてなされたものであって、その目的は、磁気ストライプに記憶された情報を読取るために帳票を幅寄せするための幅寄機構を利用して帳票の振分けを行うことができると共に低コストで製造可能で設置面積の小さい帳票処理装置を提供することにある。
【０００７】
【課題を解決するための手段】
本発明は、所定の情報が記憶された磁気ストライプ付きの帳票に所定の処理を施した後、磁気ヘッドを用いて磁気ストライプから情報を読取る情報読取手段が近傍に配置された給排紙口から排紙するときに、所定の処理の結果に応じて、磁気ヘッドの位置に磁気ストライプを調整するために帳票の搬送方向と略並行となるように設けられた第１のガイドとこの第１のガイドと対向して設けられた帳票の搬送方向と略並行となるように設けられた第２のガイドとの間に設けられた例えば正逆回転可能な幅寄ローラにより帳票を搬送方向と略直交方向に移動させ第１のガイド又は第２のガイドへ幅寄せを行い、このいずれかのガイドに幅寄された帳票を収容するものである。
【０００８】
【発明の実施の形態】
以下、本発明の一実施の形態について図面を参照して説明する。なお、帳票処理装置を上下２つの給排紙口を有する通帳伝票プリンタ１に適用した場合で説明する。
【０００９】
図１は通帳伝票プリンタ１の概略的な断面を示す図である。上側の給排紙口２から通帳伝票プリンタ１内の奥側へと形成される搬送路と、下側の給排紙口３から通帳伝票プリンタ１内の奥側へと形成される搬送路とがフラッパ４により切換えられるようになっている。下側の給排紙口３には、帳票収容手段であるスタッカ５が装着可能となっており排出される帳票を積載できるようになっている。通帳伝票プリンタ１内の奥側から搬送路上方に印字ヘッド６、スキャナ７が設けられている。この印字ヘッド６とフラッパ４との間には、搬送路を上下に挟むように帳票を検出するためのセンサ８が配置されている。また、フラッパ４と下側の給排紙口３へと続く搬送路には、ＭＳ（磁気ストライプ）ヘッド９、センサ１０、幅寄ローラ１１及びセンサ１２が奥側からこの順で配置されている。ＭＳヘッド９及び幅寄ローラ１１は搬送路の下方に、各センサは１０、１２は搬送路を上下に挟むように配置されている。また、図示しないが帳票を搬送するための複数のローラが搬送路を挟むように配置されている。
【００１０】
図２は、通帳伝票プリンタ１の概略的な制御構成を示す図である。
通帳伝票プリンタ１には、ＣＰＵ２１、ＲＯＭ２２、ＲＡＭ２３、センサ制御部２４、センサ部２５、印字ヘッド制御部２６、印字ヘッド６、スキャナ制御部２７、スキャナ７、ソレノイド制御部２８、フラッパ４、ＭＳヘッド制御部２９、ＭＳヘッド９、操作制御部３０、操作部３１、モータ駆動制御部３２、搬送部モータ３３、幅寄部モータ制御部３４、幅寄部モータ３５、表示制御部３６、表示部３７及び電源３８が設けられている。また、ＣＰＵ２１と、ＲＯＭ２２、ＲＡＭ２３、センサ制御部２４、印字ヘッド制御部２６、スキャナ制御部２７、ソレノイド制御部２８、ＭＳヘッド制御部２９、操作制御部３０、モータ駆動制御部３２、幅寄部モータ制御部３４、表示制御部３６はバスライン３９を介して接続されている。
【００１１】
ＣＰＵ２１は、ＲＯＭ２２に記憶された制御プログラムを実行することにより通帳伝票プリンタ１としての各種動作を制御する。ＲＯＭ２２にはＣＰＵ２１が実行する通帳伝票プリンタ１を動作するための制御プログラムが記憶される。ＲＡＭ２３にはＣＰＵ２１が制御プログラムを実行するときに必要となるワークエリア等が形成されている。
【００１２】
センサ制御部２４はセンサ部２５の複数のセンサの制御を行う。この複数のセンサは例えば透過型のセンサであり、搬送路を上限挟むように所定位置に配置されており、搬送される帳票の検出を行う。例えば、フラッパ４とスキャナ７との間に配置されたセンサ８、ＭＳヘッド９と幅寄ローラ１１との間に配置されたセンサ１０、給紙された帳票を検出するために下側の給排紙口３近傍に配置されたセンサ１２が設けられている。
【００１３】
印字ヘッド制御部２６は所定の印字情報に基づいて印字ヘッド６を制御し、印字ヘッド６下方まで搬送された帳票に印字を行う。スキャナ制御部２７はスキャナ７の下方まで搬送された帳票からスキャナ７を制御してその帳票に印字された情報を読取る。ソレノイド制御部２８は、フラッパの切換えを制御する。ソレノイド制御部２８は、フラッパ４に固着されたソレノイドを動作させることにより、フラッパ４の切換動作を制御し、帳票の搬送路の切換えを行う。ＭＳヘッド制御部２９は、ＭＳヘッド９の上方に帳票が搬送されたときに、その帳票に付けられたＭＳから記憶されている情報を読取り（情報読取手段）又は所定の情報をＭＳに書込む。操作制御部３０は操作部３１から受付けたオペレータの各種指示をＣＰＵ２１に伝える制御を行う。表示制御部３６はＣＰＵか２１ら指示されたオペレータに報知すべき情報を表示部３７に表示する制御を行う。
【００１４】
モータ駆動制御部３２は、搬送路の所定位置に配置された帳票を搬送する複数のモータからなる搬送部モータ３３の駆動制御を行う。この搬送部モータ３３の各モータを駆動制御することにより搬送路を挟むように設けられた搬送ローラを駆動する。例えば、下側の給排紙口３から給紙された帳票を印字ヘッド６の下方まで搬送し、所定の処理が行われた帳票を上側の給排紙口２から排紙する。または、上側の給排紙口２から給紙された帳票を印字ヘッド６の下方まで搬送し、所定の処理が行われた帳票を下側の給排紙口３から排紙する（搬送手段）。
【００１５】
幅寄部モータ制御部３４は幅寄部モータ３５を駆動制御して幅寄ローラ１１の回転を制御する。幅寄部モータ３５は正逆回転可能になっており、このモータの回転と同期して幅寄ローラ１１も正逆回転するようになっている。
【００１６】
図３から図５は、幅寄ローラ１１による幅寄機構を説明するための図である。図３は図１と同じ方向の断面から見た図であり、図４は図１と異なる方向の断面から見た図であり、図５は上側から見た図である。
【００１７】
図４及び５に示すように、搬送された帳票のＭＳの位置を前記所定位置に配置された磁気ヘッドの位置に調整するために帳票の搬送方向と略並行となるように第１のガイド４１と、この第１のガイド４１と対向して帳票の搬送方向と略並行となるように第２のガイド４２が設けられている。また、第１のガイド４１と第２のガイド４２との間に帳票の搬送方向と略直交方向に帳票を移動させ第１のガイド４１又は第２のガイド４２へ幅寄せを行うための幅寄ローラ１１が上述したように設けられている（帳票幅寄手段）。
【００１８】
このように構成された幅寄機構で、下側の給排紙口３から給紙された帳票に付けられたＭＳをＭＳヘッド９の位置へ調整する処理は、次ぎのように行う。下側の給排紙口３から給紙された帳票をセンサ１２で検出すると、幅寄ローラ１１を反時計回りに回転させる。この幅寄ローラ１１の回転により帳票は図中矢印で示すように左方向に移動し、左側の第１のガイド４１に当接する。これにより帳票の位置及びＭＳの位置が調整される。このようにＭＳの位置が調節された後帳票は奥側へ搬送され、ＭＳヘッド９によりＭＳに記憶された情報が読取られる。
【００１９】
続いて、このように構成された通帳伝票プリンタ１をオペレータが使用し、上側の給排紙口２から通帳Ｔを、例えば、図示しない給紙機構により連続的に給紙して、下側の給排紙口３から排出する処理を行うときの動作を説明する。
【００２０】
オペレータは処理を行う通帳Ｔを給紙機構に積載した後、操作部３１を操作して処理を開始する。この操作により給紙機構から１枚目の通帳Ｔが上側の給排紙口２から通帳伝票プリンタ１に給紙される。このように給紙された通帳Ｔはスキャナ７により印字された情報を読取れる位置まで搬送される。このとき、フラッパ４は下側に切換えられているが、センサ８で通帳が通過したことが検出されるとフラッパ４は上側に切換えられる。続いて、通帳Ｔは印字ヘッド６により印字できる位置まで搬送され所定の印字情報に基づいて印字が行われる。そして、処理が正常に行われたか、エラーが生じたかが、例えばＲＡＭ２３に記憶される。
【００２１】
印字処理が終了すると、通帳Ｔは下側の給排紙口３から排出するために搬送される。通帳Ｔがセンサ８を通過したことが検出されると、上側に切換えられていたフラッパ４が下側に切換えられる。このようにフラッパ４が下側に切換えられると、給紙機構から２枚目の通帳Ｔが通帳伝票プリンタ１の上側の給排紙口２から給紙される。この２枚目の通帳Ｔはスキャナ７により印字された情報が読取られる位置まで搬送され、その後、印字ヘッド６により印字できる位置まで搬送される。
【００２２】
続いて、１枚目の通帳Ｔがセンサ１０で検出されると、幅寄ローラ１１が回転動作を開始する。図６（ａ）、（ｂ）はこの幅寄部モータ３５の正逆回転により通帳Ｔを第１のガイド４１、または、第２のガイド４２に当接させる動作を通帳伝票プリンタ１の手前側（オペレータ側）から見たときの図である。この幅寄部モータ３５の回転を正逆のいずれかで行うかは処理を行った結果に応じて選択される。すなわち、処理結果に応じて幅寄ローラ１１を利用した帳票幅寄手段を制御して通帳Ｔを第１のガイド４１又は第２のガイド４２のいずれかの方向に移動させる（移動制御手段）。例えば、処理が正常に終了した通帳Ｔ´は図６（ａ）に示すように、幅寄ローラ１１を手前側から見て逆時計回りに回転させ、異常を検出して終了した通帳Ｔ″は幅寄ローラ１１を手前側から見て時計回りに回転させる。すなわち、上述のようにＲＡＭ２３に正常に処理が行われたことが記憶されていれば幅寄ローラ１１は逆時計回りに回転する。これにより通帳Ｔ´は手前側から見て左側の第１のガイド４１に沿ってスタッカ５に排出される。また、ＲＡＭ２３に異常を検出して終了したことが記憶されていれば幅寄ローラ１１は時計回りに回転する。これにより通帳Ｔ″は手前側から見て右側の第２のガイド４２に沿ってスタッカ５に排出される。このように処理されてスタッカ５に次々と通帳が積載されていく。
【００２３】
図７はこのようにしてスタッカ５に積載された通帳Ｔ´及び通帳Ｔ″を手前側から見たときの図である。正常に処理が行われた通帳Ｔ´は左側に、異常が検出された通帳Ｔ″は右側に振分けられてスタッカ５に積載される。
【００２４】
このように、通帳伝票プリンタ１は、処理を行った帳票を排出するときに処理の結果に応じて幅寄ローラ１１の回転を制御することにより、帳票を振分けてスタッカ５に排出することができる。このように帳票を振分けて排出することができるので、オペレータは、例えば、スタッカに大量に積載された帳票の中から処理に異常が検出された帳票を容易に取出すことができる。また、このように処理結果に応じて帳票を振分けて排出することができるため、処理の結果によりオペレータが帳票に対して行う次ぎの処理が異なる場合に非常に効果的である。
【００２５】
また、帳票の振分けを行う機構を幅寄ローラ１１の正逆回転と搬送路の両側の第１のガイド４１及び第２のガイド４２により構成しているため、新たに帳票を振分けるための機構を追加することなく、低コストで設置面積の小さい帳票処理装置とすることができる。
【００２６】
なお、この発明は、上記実施の形態そのままに限定されるものではなく、実施段階ではその要旨を逸脱しない範囲で構成要素を変形して具体化できる。
【００２７】
【発明の効果】
以上説明したように本発明によれば、ＭＳに記憶された情報を読取るために帳票を幅寄せするための幅寄機構を利用して帳票の振分けを行うことができると共に低コストで製造可能で設置面積の小さい帳票処理装置を提供できる。
【図面の簡単な説明】
【図１】本発明の一実施の形態における帳票処理装置の概略的な断面を示す図。
【図２】同実施の形態における帳票処理装置の概略的制御構成を示す図。
【図３】同実施の形態における幅寄機構を説明するための断面図。
【図４】同実施の形態における幅寄機構を説明するための他の断面図。
【図５】同実施の形態における幅寄機構を上側から説明するための図。
【図６】同実施の形態における帳票の幅寄せを説明するための図。
【図７】同実施の形態におけるスタッカに積載された帳票を示す図。
【符号の説明】
１…通帳伝票プリンタ、２…上側の給排紙口、３…下側の給排紙口、４…フラッパ、５…スタッカ、９…ＭＳヘッド、１１…幅寄ローラ、２１…ＣＰＵ、２２…ＲＯＭ、２３…ＲＡＭ、３４…幅寄部モータ制御部、３５…幅寄部モータ、４１…第１のガイド、４２…第２のガイド、Ｔ…通帳
【図１】
2005041591.tif 000003
【図２】
2005041591.tif 000004
【図３】
2005041591.tif 000005
【図４】
2005041591.tif 000006
【図５】
2005041591.tif 000007
【図６】
2005041591.tif 000008
【図７】
2005041591.tif 000009